(57)【要約】【課題】  横葺き屋根板端部から捨て板への浸水がオーバーフローを起こすようなことがない横葺き屋根の下り棟納め構造を提供すること。【解決手段】  下り棟芯を跨ぐように下地面に固定された支持部材２の両側に横葺き屋根板端部４ａを配置し、横葺き屋根板端部４ａ及び支持部材２上を覆う化粧部材５を配する横葺き屋根の下り棟構造において、横葺き屋根板端部４ａ裏面に捨て板９を配し、この捨て板９は、外側側縁に軒棟方向に平行状の返し部９ａを、内側側縁に支持部材２の起立部２ｂに沿う立ち上げ部９ｂを形成してある。【選択図】  図１
2006241797.tif 000002
【特許請求の範囲】
【請求項１】
下り棟芯を跨ぐように下地面に固定された支持部材の両側に横葺き屋根板端部を配置し、横葺き屋根板端部及び支持部材上を覆う化粧部材を配する横葺き屋根の下り棟構造において、
前記横葺き屋根板端部裏面に捨て板を配し、
この捨て板は、外側側縁に軒棟方向に平行状の返し部を、内側側縁に前記支持部材の起立部に沿う立ち上げ部を形成してあることを特徴とする横葺き屋根の下り棟納め構造。
【発明の詳細な説明】
【技術分野】
【０００１】
本発明は横葺き屋根の下り棟納め構造に関する。
【背景技術】
【０００２】
横葺き屋根の下り棟は、下り棟部に沿って捨て板が配され、横葺き屋根板の端部からの侵入水を排出する為に設けられている。
その態様は、下り棟部に連続する通しの捨て板の態様、捨て板が各段の横葺き屋根板毎に設けられる態様等で行われている。
しかし、その捨て板の態様は、捨て板の側縁が下り棟芯に平行に設けられるものとなっている。
このような捨て板は、側縁が下り棟芯と平行に形成されているため、捨て板内を流れる水の方向（側縁に規制されて流れる下り棟方向）と、屋根としての水の流れる方向（軒棟方向）が異なり、結果、捨て板内の決まった位置（側縁のリブや水返し部）を流れ、下段に行くごとに流下量が多くなり、オーバーフローを起こして室内側への浸水事故を起こすことがあった。
【特許文献１】特開２０００−３０３６２７
【発明の開示】
【発明が解決しようとする課題】
【０００３】
解決しようとする課題は、第１には、横葺き屋根板端部から捨て板への浸水がオーバーフローを起こすようなことがない横葺き屋根の下り棟納め構造を提供することにある。
【課題を解決するための手段】
【０００４】
本発明は前記した課題を達成するため、以下の構成にしたことを特徴とする。
１．下り棟芯を跨ぐように下地面に固定された支持部材の両側に横葺き屋根板端部を配置し、横葺き屋根板端部及び支持部材上を覆う化粧部材を配する横葺き屋根の下り棟構造において、前記横葺き屋根板端部裏面に捨て板を配し、この捨て板は、外側側縁に軒棟方向に平行状の返し部を、内側側縁に前記支持部材の起立部に沿う立ち上げ部を形成してあることを特徴とする。
【０００５】
本発明における納めは、横葺き屋根を構成する下り棟における屋根面同士の取り合い部分を指し、横葺き屋根板端部とは長手方向の端および端縁さらに当該端縁に連なる長手方向の側縁部分を指す。
下地は、鉄骨でも、軒棟方向に架設された垂木でも、その他の公知のものでもよく、支持部材の固定強度が十分に得られるものであれば制限はない。
支持部材は、端から端まで長尺状（連続材）のものであってもよいし、複数の垂木あるいは下地に固定可能な長さであれば、一定長さのものからなる複数の組み合わせであってもよい。すなわち支持部材は、取り付け対象となる屋根面同士の境界に沿って支持部材に固定される横葺き外装材等がその端部を支障なく固定可能であれば、支持部材端部間に隙間が介在していてもよい。支持部材の上面部は、平坦状、略三角状、湾曲状等でよく制限されない。起立部は、略鉛直状であっても傾斜状であってもよい。傾斜状である場合、起立部へのビス等の固定具による固定が容易になることになる。
化粧部材は、１部材であっても、保持部材とカバー部材からなる複数部材であってもよい。１部材のものでは、保持部材とカバー部材を兼ねる態様のものであってもよい。この化粧部材は、少なくとも化粧部と押え部と固定縁部を有し、各部が他部を兼ねる態様のものであってもよい。例えば、押え部が化粧部を兼ねるもの、固定縁部が化粧部を兼ねるもの等であってもよい。押え部は、横葺き屋根板端部を各段毎に押える態様でも、横葺き屋根板端部を部分的に押えるものであってもよい。
また、化粧部材は、横葺き屋根板端部の保持の他に、止水材として機能、カバー部材の取付け部等を備えるものでもよい。
カバー部材は、支持部材および押え部による横葺き屋根板端部の押え部分をカバーするものであればよく、このカバー部材の止め手段としては、ビス止め等によるもの（ビス孔から浸水しない箇所）でも、係合、カシメ、嵌合等の公知の止め手段であればよい。
捨て板は、外側側縁を軒棟方向に平行な返し部とし、内側側縁を支持部材の起立部に沿う立ち上げ部として形成しているものであればよく、水が水下側に至るにしたがい幅広になる捨て板の全体を軒棟方向に流下することが可能となり、捨て板のオーバーフローによる浸水を避けられることになる。
【発明の効果】
【０００６】
Ａ．請求項１により、横葺き屋根板端部からの浸水を横葺き屋根板裏面の捨て板で受け止め且つ軒棟方向すなわち水の流れ方向に平行な返し部で分散するように導くため、オーバーフローが発生せず、屋内側への浸水がない。
【発明を実施するための最良の形態】
【０００７】
図１〜図６には本発明の横葺き外装材の下り棟納め構造における実施の１形態を例示しており、下り棟芯を境にして隣り合う軒棟方向に沿う垂木１間に跨ぐようにして支持部材２を配設してある。
支持部材２は下り棟の一端から他端まで達する金属板製の長尺状のもので、断面略逆Ｖ状上面部２ａと、上面部２ａの両側縁から下方へ折曲した左右の起立部２ｂと、起立部２ｂ下端から外側（軒側）に折曲して延出した左右の固定部２ｃを有し、各折曲部のうちの上面部２ａ頂部の角部２ｄと、起立部２ｂと固定部２ｃの角部２ｅには、長手方向に沿って小間隔で連続的に連なる複数の開口部２ｆを有している。この開口部２ｆは、長孔の長手方向の両端が外側に凸の山形状にしてあり、曲げセンターが出しやすく且つ曲げ作業し易くしてある。
【０００８】
この支持部材２は、左右の固定部２ｃを左右の垂木１上面に当該上面の勾配に合わせてその曲げ角度を調整してビス等の固定具３でそれぞれ固定し、左右の固定部２ｃ上にはそれぞれ横葺き屋根板端部４ａを載置してある。横葺き屋根板４は、上段の横葺き屋根板４の水上側成形部４ｂと下段の横葺き屋根板４の水下側成形部４ｃを係止することで葺いてある。
左右の各段における横葺き屋根板端部４ａ上には保持部材５をそれぞれ載置し、保持部材５の押え部５ａが横葺き屋根板端部４ａを押圧して固定部２ｃすなわち垂木１側との間に保持した状態に、保持部材５を支持部材２にビス等の固定具６で止着することにより固定してある。
【０００９】
保持部材５は、断面逆ハット状で横葺き屋根板４の有効幅（軒棟方向）よりも幾分長く形成してあり、押え部５ａと、押え部５ａ外縁から上向きに折曲した化粧部５ｂと、化粧部５ｂから外側に折曲した被係止部５ｃと、押え部５ａ内縁から上向きに折曲した固定縁部５ｄを有している。また、保持部材５は、被係止部５ｃおよび固定縁部５ｄを長手方向の軒側端よりも棟側端が高くなるようにしてあり、この軒側端と棟側端の高低差は上段と下段の横葺き屋根板４の係止部分１０における段差の高さに相当し、各段の横葺き屋根板端部４ａを押え部５ａにより押圧した状態での各保持部材５における被係止部５ｃおよび固定縁部５ｄが段差なく面一に連続し得るように形成してある。
かかる保持部材５は、固定縁部５ｄを支持部材２の起立部２ｂに固定具６で固定してあり、押え部５ａで横葺き屋根板端部４ａを各段ごとに押圧して保持している。
支持部材２左右の下り棟芯方向に沿う各保持部材５にはカバー部材７を被せ、カバー部材７の係止部７ａを被係止部５ｃに係止させて覆設してある。
【００１０】
各段の横葺き屋根板端部４ａと保持部材５の押え部５ａとの間にはシール材８を隙間なく介在させることで止水し、外側から内部への浸水を阻止して雨仕舞してある。
そして、各段の横葺き屋根板端部４ａ裏面側には捨て板９をそれぞれ配設してある。捨て板９は外側側縁に軒棟方向に平行状の返し部９ａを、内側側縁に支持部材２の起立部２ｂに沿う立ち上げ部９ｂを形成してあり、下り棟芯側の小幅状側縁部９ｃは当該段の横葺き屋根板４の水上側成形部４ｂよりも水上側に、軒側の広幅状側縁部９ｄは下段の横葺き屋根板４の水下側成形部４ｃより水下側に、それぞれ位置し、横葺き屋根板端部４ａから裏面側への浸水があったとしても、これを広幅状側縁部９ｄから下段の横葺き屋根板４の水上側成形部４ｂに分散して当該段の横葺き屋根板４上に導くことで屋根裏に漏水がないようにしてある。立ち上げ部９ｂは起立部２ｂと固定縁部５ｄに挟着されている。
【００１１】
図７〜図９には本発明の横葺き外装材の下り棟納め構造における実施の他の１形態をそれぞれ例示しており、構成は前記した図１の態様のものと基本的に同一であるため、符合を準用して説明を省略する。
【図面の簡単な説明】
【００１２】
【図１】本発明の横葺き外装材の下り棟納め構造における実施の１形態を例示している縦断面図。
【図２】平面図。
【図３】水上側成形部と水下側成形部との係止部分の縦断面図。
【図４】分解斜視図。
【図５】支持部材の斜視図。
【図６】保持部材の斜視図。
【図７】本発明の横葺き外装材の下り棟納め構造における実施の他の１形態を例示している縦断面図。
【図８】本発明の横葺き外装材の下り棟納め構造における実施の他の１形態を例示している縦断面図。
【図９】本発明の横葺き外装材の下り棟納め構造における実施の他の１形態を例示している縦断面図。
【符号の説明】
【００１３】
１  垂木（下地）
２  支持部材
２ａ  上面部
２ｂ  起立部（被取付部）
２ｃ  固定部
２ｄ，２ｅ
２ｆ  開口部
３，６  固定具
４  横葺き屋根板
４ａ  横葺き屋根板端部
４ｂ  水上側成形部
４ｃ  水下側成形部
５  保持部材（化粧部材）
５ａ  押え部
５ｂ  化粧部
５ｃ  被係止部
５ｄ  固定縁部
７  カバー部材（化粧部材）
７ａ  係止部
８  シール材
９  捨て板
９ａ  返し部
９ｂ  立ち上げ部
９ｃ  小幅状側縁部
９ｄ  広幅状側縁部
１０  係止部分
【図１】
2006241797.tif 000003
【図２】
2006241797.tif 000004
【図３】
2006241797.tif 000005
【図４】
2006241797.tif 000006
【図５】
2006241797.tif 000007
【図６】
2006241797.tif 000008
【図７】
2006241797.tif 000009
【図８】
2006241797.tif 000010
【図９】
2006241797.tif 000011